(57)【要約】【課題】従来の機能性強化水情報通信基盤システムは社会の情報基盤が未発達の時期に形成された概念に基づくサンプル計量システム等を情報システムに移行したもので、急激な経済社会の要求に対応出来ない状況となって来た。そこで、この発明はこれを解決しクラウド等国際情報化経済社会の情報通信基盤に適応した機能性強化水情報通信基盤システムを提供することを課題とする。【解決手段】バナジウム水、ナノ対応水、水素水、イオン水等の高濃度化など、水の機能性を強化した水質機能性強化手段に関する情報を収集し情報処理する機能性強化水情報収集処理手段と評価基準を規定し情報処理する機能性強化水基準情報処理手段と機能性強化の状態を評価基準対比等統計情報処理する機能性強化水評価情報処理手段とを具備し機能性強化水情報通信基盤を構築する機能性強化水情報通信基盤システムを提供することにより前記課題を解決する。【選択図】図１
2012073215.tif 000002
【特許請求の範囲】
【請求項１】
バナジウム水、ナノ対応水、水素水、イオン水等の高濃度化など、水の機能性を強化した水質機能性強化手段に関する情報を収集し情報処理する機能性強化水情報収集処理手段と評価基準を規定し情報処理する機能性強化水基準情報処理手段と機能性強化の状態を評価基準対比等統計情報処理する機能性強化水評価情報処理手段とを具備し機能性強化水情報通信基盤を構築する機能性強化水情報通信基盤システム
【請求項２】
天然バナジウム水等天然物含有生体機能性対応水の機能性を評価する情報を収集し情報処理する天然物含有生体機能性対応水評価情報処理手段を具備することを特徴とする請求項１記載の機能性強化水情報通信基盤システム
【請求項３】
評価認証の情報処理を行う評価認証情報処理手段を具備することを特徴とする請求項１記載の機能性強化水情報通信基盤システム
【請求項４】
評価認証情報手段に基づき金融対応の情報処理を行う金融対応情報処理手段を具備することを特徴とする請求項１記載の機能性強化水情報通信基盤システム
【請求項５】
国民健康等社会経済評価に基づき金融対応を行う社会経済金融対応手段を具備することを特徴とする請求項１記載の機能性強化水情報通信基盤システム
【請求項６】
富士山等の観光資源や製品移動等経済環境の経済価値評価を行う環境経済対応手段を具備することを特徴とする請求項１記載の機能性強化水情報通信基盤システム
【請求項７】
機能性強化水の過去状況の履歴を情報処理する機能性強化水過去状況履歴情報処理手段を具備することを特徴とする請求項１記載の機能性強化水情報通信基盤システム
【請求項８】
前記機能性強化水に関連した別の機能性強化水である関連機能性強化水の情報を処理する関連機能性強化水情報処理手段を具備することを特徴とする請求項１記載の機能性強化水情報通信基盤システム
【請求項９】
前記機能性強化水と関連機能性強化水との関連性を評価する関連機能性強化水関連性評価手段と該機能性強化水関連性評価手段により形成された関連機能性強化水関連性評価情報を処理する関連機能性強化水評価情報処理手段とを具備することを特徴とする請求項８記載の機能性強化水情報通信基盤システム
【請求項１０】
機能性強化水を登録し認定する機能性強化水情報登録認定手段を具備することを特徴とする請求項１記載の機能性強化水情報通信基盤システム
【請求項１１】
評価モデルによる評価手段を具備することを特徴とする請求項１記載の機能性強化水情報通信基盤システム
【請求項１２】
評価モデルと連携する評価モデル連携手段を具備することを特徴とする請求項１記載の機能性強化水情報通信基盤システム
【請求項１３】
前記評価モデルに根拠情報を提供する評価根拠情報提供手段を具備することを特徴とする請求項１記載の機能性強化水情報通信基盤システム
【請求項１４】
地図情報システムにより情報表現する等、地図情報処理する地図情報処理手段を具備することを特徴とする請求項１記載の機能性強化水情報通信基盤システム
【請求項１５】
模型等の等価縮小形体を用いた縮小展開表現による評価モデルと連携する縮小展開表現評価モデル連携手段を具備することを特徴とする請求項１記載の機能性強化水情報通信基盤システム
【請求項１６】
前記各手段の情報処理が情報画像表現等による仮想表現される仮想表現手段を具備することを特徴とする請求項１記載の機能性強化水情報通信基盤システム
【発明の詳細な説明】
【技術分野】
【０００１】  この発明は、機能性強化水情報通信基盤システムに関する。
【背景技術】
【０００２】  従来の機能性強化水情報通信基盤システムは社会の情報基盤が未発達の時期に形成されたものであった。
【発明の開示】
【発明が解決しようとする課題】
【０００３】  しかしながら、以上の技術によれば、情報基盤が成熟化し国際化した現状に対応し、総合的に絶えず発展成長して行く事を考慮されたものではなかった。成長著しい健康産業や技術革新下の水資源産業等において、急激な経済社会の要求に対応出来ない状況となって来た。特に、情報資本主義社会において、金融の投融資をする立場から見て作られたものではなかった。そこで、この発明は、これを解決しクラウド等国際情報化経済社会の情報通信基盤に適応した機能性強化水情報通信基盤システムを提供することを課題とする。
【課題を解決するための手段】
【０００４】  以上の課題を解決するために第１の発明は、バナジウム水、ナノ対応水、水素水、イオン水等の高濃度化など水の機能性を強化した水質機能性強化手段に関する情報を収集し情報処理する機能性強化水情報収集処理手段と評価基準を規定し情報処理する機能性強化水基準情報処理手段と機能性強化の状態を評価基準対比等統計情報処理等行う機能性強化水評価情報処理手段とを具備し機能性強化水情報通信基盤を構築する機能性強化水情報通信基盤システムである。
また、第２の発明は、天然バナジウム水等天然物含有生体機能性対応水の機能性を評価する情報を収集し情報処理する天然物含有生体機能性対応水評価情報処理手段を具備することを特徴とする請求項１記載の機能性強化水情報通信基盤システムである。
また、第３の発明は、評価認証の情報処理を行う評価認証情報処理手段を具備することを特徴とする請求項１記載の機能性強化水情報通信基盤システムである。
また、第４の発明は、評価認証情報処理手段に基づき金融対応の情報処理を行う金融対応情報処理手段を具備することを特徴とする請求項１記載の機能性強化水情報通信基盤システムである。
また、第５の発明は、国民健康等社会経済評価に基づき金融対応を行う社会経済金融対応手段を具備することを特徴とする請求項１記載の機能性強化水情報通信基盤システムである。
また、第６の発明は、富士山等の観光資源や製品移動等経済環境の経済価値評価を行う環境経済対応手段を具備することを特徴とする請求項１記載の機能性強化水情報通信基盤システムである。
また、第７の発明は、機能性強化水の過去状況の履歴を情報処理する機能性強化水過去状況履歴情報処理手段を具備することを特徴とする請求項１記載の機能性強化水情報通信基盤システムである。
また、第８の発明は、前記機能性強化水に関連した別の機能性強化水又は機能性食品である関連機能性強化水の情報を処理する関連機能性強化水情報処理手段を具備することを特徴とする請求項１記載の機能性強化水情報通信基盤システムである。
また、第９の発明は、前記機能性強化水と関連機能性強化水との関連性を評価する関連機能性強化水関連性評価手段と該機能性強化水関連性評価手段により形成された関連機能性強化水関連性評価情報を処理する関連機能性強化水評価情報処理手段とを具備することを特徴とする請求項８記載の機能性強化水情報通信基盤システムである。
また、第１０の発明は、機能性強化水を登録し認定する機能性強化水情報登録認定手段を具備することを特徴とする請求項１記載の機能性強化水情報通信基盤システムである。
また、第１１の発明は、評価モデルによる評価手段を具備することを特徴とする請求項１記載の機能性強化水情報通信基盤システムである。
また、第１２の発明は評価モデルと連携する評価モデル連携手段を具備することを特徴とする請求項１記載の機能性強化水情報通信基盤システムである。
また、第１３の発明は、前記評価モデルに根拠情報を提供する評価根拠情報提供手段を具備することを特徴とする請求項１記載の機能性強化水情報通信基盤システムである。
また、第１４の発明は、地図情報システムにより情報表現する等、地図情報処理する地図情報処理手段を具備することを特徴とする請求項１記載の機能性強化水情報通信基盤システムである。
また、第１５の発明は、模型等の等価縮小形体を用いた縮小展開表現による評価モデルと連携する縮小展開表現評価モデル連携手段を具備することを特徴とする請求項１記載の機能性強化水情報通信基盤システムである。
また、第１６の発明は、前記各手段の情報処理が情報画像表現等による仮想表現される仮想表現手段を具備することを特徴とする請求項１記載の機能性強化水情報通信基盤システムである。
【発明の効果】
【０００５】  前記第１から第１６までの各発明によれば、機能性強化水情報が、社会の発達した情報基盤に適応した機能性強化水情報通信基盤システムにより、発展成長性を持つ様に標準化される。機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、保健健康社会経済に対応する等、急激に発展する経済社会の要求に対応出来る。
【発明を実施するための最良の形態】
【０００６】  第１、第２の発明の実施形態を、図１に示す。
第１の発明のバナジウム水ナノ対応水、水素水、イオン水等の高濃度化など、水の機能性を強化した水質機能性強化手段とは当該水の濃縮や濃縮液の混合、化学的手段による化学処理等による機能性強化手段であって、それに関する情報をセンサー技術等を用い自動的に又はサンプル収集等手動的に収集し情報処理する機能性強化水情報収集処理手段１と機能性強化に関する評価基準、例えば成分分析表等を規定し情報処理する機能性強化水基準情報処理手段２と機能性強化の状態を評価基準対比等統計情報処理等行うとは機能性強化状況を数量化し評価基準を定め対比する等統計学的処理を行い情報処理する機能性強化水評価情報処理手段３とを具備する様に情報通信処理手段を用いて構成し機能性強化水情報通信基盤を構築する機能性強化水情報通信基盤システム４である。
また、第２の発明は、富士山周辺等の特別地域で収集される天然バナジウム水等天然物含有生体機能性対応水の機能性を評価する情報、即ち水質分析等をセンサー等による自動収集やサンプル収集による手動収集を行い情報処理する天然物含有生体機能性対応水評価情報処理手段５を具備する様に情報通信処理手段を用いて構成することを特徴とする請求項１記載の機能性強化水情報通信基盤システム４である。
第３、第４、第５の発明の実施形態を、図２に示す。
また、第３の発明は、評価認証の情報処理を行う評価認証情報処理手段６を具備する様に構成することを特徴とする請求項１記載の機能性強化水情報通信基盤システム４である。第４の発明は、評価認証情報手段に基づき金融対応の情報処理を行う金融対応情報処理手段７を具備する様に構成することを特徴とする請求項１記載の機能性強化水情報通信基盤システム４である。第５の発明は、国民健康等社会経済評価に基づき金融対応を行う社会経済金融対応手段８を具備する様に構成することを特徴とする請求項１記載の機能性強化水情報通信基盤システム４である。
第６、第７、第８、第９の発明の実施形態を、図３に示す。
また、第６の発明は、富士山等の観光資源や製造場所からの製品移動等経済環境の経済価値評価を行う環境経済対応手段９を具備する様に構成することを特徴とする請求項１記載の機能性強化水情報通信基盤システム４である。
また、第７の発明は、機能性強化水の過去状況の履歴を情報処理する機能性強化水過去状況履歴情報処理手段１０を具備する様に構成することを特徴とする請求項１記載の機能性強化水情報通信基盤システム４である。
また、第８の発明は、前記機能性強化水に関連した別の機能性強化水又は機能性食品である関連機能性強化水の情報を処理する関連機能性強化水情報処理手段１１を具備する様に構成することを特徴とする請求項１記載の機能性強化水情報通信基盤システム４である。
また、第９の発明は、前記機能性強化水と関連機能性強化水との関連性を評価する関連機能性強化水関連性評価手段と該機能性強化水関連性評価手段により形成された関連機能性強化水関連性評価情報を処理する関連機能性強化水評価情報処理手段１２とを具備する様に構成することを特徴とする請求項１記載の機能性強化水情報通信基盤システム４である
第１０、第１１、第１２、第１３の発明の実施形態を、図４に示す。
また、第１０の発明は、機能性強化水を登録し認定する機能性強化水情報登録認定手段１３を具備する様に構成することを特徴とする請求項１記載の機能性強化水情報通信基盤システム４である。
また、第１１の発明は評価モデルによる評価手段１４を具備する様に構成することを特徴とする請求項１記載の機能性強化水情報通信基盤システム４である。
また、第１２の発明は評価モデルと連携する評価モデル連携手段１５を具備する様に構成することを特徴とする請求項１記載の機能性強化水情報通信基盤システム４である
また、第１３の発明は、前記評価モデルに根拠情報を提供する評価根拠情報提供手段１６を具備する様に構成することを特徴とする請求項１記載の機能性強化水情報通信基盤システム４である
第１４、第１５、第１６の発明の実施形態を、図５に示す。
また、第１４の発明は、地図情報システムにより情報表現する等、地図情報処理する地図情報処理手段１７を具備する様に構成することを特徴とする請求項１記載の機能性強化水情報通信基盤システム４である
また、第１５の発明は、模型等の等価縮小形体を用いた縮小展開表現による評価モデルと連携する縮小展開表現評価モデル連携手段１８を具備する様に構成することを特徴とする請求項１記載の機能性強化水情報通信基盤システム４である。
また、第１６の発明は、前記各手段の情報処理が情報画像表現等による仮想表現される仮想表現手段１９を具備する様に構成することを特徴とする請求項１記載の機能性強化水情報通信基盤システム４である。【０００７】「実施形態の効果」
図１の実施形態によれば、第１、第２の発明が示され、
第１の発明は、バナジウム水、ナノ対応水、水素水、イオン水等の高濃度化など、水の機能性を強化した水質機能性強化手段とは当該水の濃縮や濃縮液の混合、化学的手段による化学処理等による機能性強化手段を用い、センサー技術等を用い自動的に又はサンプル収集等手動的に収集し情報処理する機能性強化水情報収集処理手段１により、関連情報は収集され情報通信手段によりデータベース化される。機能性強化に関する評価基準、例えば成分分析表等を統計学的対応が可能となる様に規定し情報処理する機能性強化水基準情報処理手段２と機能性強化の状態を評価基準対比等統計情報処理等行うとは機能性強化状況を数量化し評価基準を定め対比する等統計学的処理を行い情報処理する機能性強化水評価情報処理手段３とを具備する様に情報通信処理手段を用いて構成し機能性強化水情報通信基盤を構築する機能性強化水情報通信基盤システム４を用いることにより、クラウドやｉＰｈｏｎｅ、ｉＰａｄ等新規に出現する情報通信手段に容易に対応する事が可能となる。
また、第２の発明は、富士山周辺等の特別地域で収集される天然バナジウム水等天然物含有生体機能性対応水の機能性を評価する情報、即ち水質分析等をセンサー等による自動収集やサンプル収集による手動収集を行い情報処理する天然物含有生体機能性対応水評価情報処理手段５を具備する様に情報通信処理手段を用いて構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
バナジウムは血糖値を低下させる作用がある。これはヘモグロビンが糖と結合することにより安定化して酸素との結合を阻害する。バナジウムが体内にはいるとヘモグロビンに作用して糖を電気的に解離させ血液中の脂肪分と再結合させる働きがある。この為血糖値が下がり糖尿病の治療に効果がある。糖尿病の患者は全国で６００万人予備軍と言われる人は成人の４人に１人である。この効果を更に高め一般に普及することは社会保健上大いに望まれることである。現在市場のバナジウム含有飲料水は１０００ミリリットル中１３０マイクログラムの含有値が最高である。新技術として天然ミネラル水に工場で濃縮したバナジウムを混合し業務用として１０００ミリリットル中２５０００マイクログラム一般用として３００マイクログラムを得る技術手段が確立された。この様に卓越した新技術が普及し市場が育成されるには本発明による情報理論に基づいた情報展開市場育成手段を用い展開することがクラウド社会に最適である。従来、各手段が個別のシステムの目的に応じて不統一に使われて来たが、本システムは、総合的な上位概念から順次下位概念へと導く、統一した概念に基づいて、情報が収集処理される様に構成されているので、昨今の経済社会が望んでいる経済基盤構築を指向した機能性強化水情報通信基盤構築の為に極めて有効である。水資源産業の様に新規な産業であり業界の混雑した現状から個々の積み上げによるシステムの構築には、経済的に多大な困難を伴う。特に金融の投融資の面から、全体像を認識する総合的なシステムの早急な開発が望まれたが、それは極めて困難であった。本システムにより、これらの問題が解決される。機能性強化水情報が、社会の発達した情報基盤に適応した機能性強化水情報通信基盤システム４により発展成長性を持つ様に標準化される。機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、地球環境に対応する等、急激に発展する経済社会の要求に対応出来る。
図２の実施形態によれば、第３、第４、第５の発明が示され、
第３の発明は、評価認証の情報処理を行う評価認証情報処理手段６を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また第４の発明は、評価認証情報手段に基づき金融対応の情報処理を行う金融対応情報処理手段７を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また第５の発明は、国民健康等社会経済評価に基づき金融対応を行う社会経済金融対応手段８を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
従来、各手段が個別のシステムの目的に応じて不統一に使われて来たが、本システムは、総合的な上位概念から順次下位概念へと導く、統一した概念に基づいて、情報が収集処理される様に構成されているので、昨今の経済社会が望んでいる経済基盤構築を指向した機能性強化水情報通信基盤構築の為に極めて有効である。水資源産業の様に新規な産業であり業界の混雑した現状から個々の積み上げによるシステムの構築には、経済的に多大な困難を伴う。特に金融の投融資の面から、全体像を認識する総合的なシステムの早急な開発が望まれたが、それは極めて困難であった。本システムにより、これらの問題が解決される。機能性強化水情報が、社会の発達した情報基盤に適応した機能性強化水情報通信基盤システム４により発展成長性を持つ様に標準化される。機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、地球環境に対応する等、急激に発展する経済社会の要求に対応出来る。
図３の実施形態によれば、第６、第７、第８、第９の発明が示され、
第６の発明は、富士山等の観光資源や製造場所からの製品移動等経済環境の経済価値評価を行う環境経済対応手段９を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第７の発明は、機能性強化水の過去状況の履歴を情報処理する機能性強化水過去状況履歴情報処理手段１０を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第８の発明は、前記機能性強化水に関連した別の機能性強化水又は機能性食品である関連機能性強化水の情報を処理する関連機能性強化水情報処理手段１１を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第９の発明は、前記機能性強化水と関連機能性強化水との関連性を評価する関連機能性強化水関連性評価手段と該機能性強化水関連性評価手段により形成された関連機能性強化水関連性評価情報を処理する関連機能性強化水評価情報処理手段１２とを具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
従来、各手段が個別のシステムの目的に応じて不統一に使われて来たが、本システムは、総合的な上位概念から順次下位概念へと導く、統一した概念に基づいて、情報が収集処理される様に構成されているので、昨今の経済社会が望んでいる経済基盤構築を指向した機能性強化水情報通信基盤構築の為に極めて有効である。水資源産業の様に新規な産業であり業界の混雑した現状から個々の積み上げによるシステムの構築には、経済的に多大な困難を伴う。特に金融の投融資の面から、全体像を認識する総合的なシステムの早急な開発が望まれたが、それは極めて困難であった。本システムにより、これらの問題が解決される。機能性強化水情報が、社会の発達した情報基盤に適応した機能性強化水情報通信基盤システム４により発展成長性を持つ様に標準化される。
機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、地球環境に対応する等、急激に発展する経済社会の要求に対応出来る。
図４の実施形態によれば、第１０、第１１、第１２、第１３の発明が示され
第１０の発明は、機能性強化水を登録し認定する機能性強化水情報登録認定手段１３を具備する様に構成することを特徴とする請求項１記載の機能性強化水情報通信基盤システム４を用いることによりクラウドやｉＰｈｏｎｅ、ｉＰａｄ等新規に出現する情報通信手段に容易に対応する事が可能となる。
また、第１１の発明は評価モデルによる評価手段１４を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第１２の発明は評価モデルと連携する評価モデル連携手段１５を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第１３の発明は、前記評価モデルに根拠情報を提供する評価根拠情報提供手段１６を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
従来、各手段が個別のシステムの目的に応じて不統一に使われて来たが、本システムは、総合的な上位概念から順次下位概念へと導く、統一した概念に基づいて、情報が収集処理される様に構成されているので、昨今の経済社会が望んでいる経済基盤構築を指向した機能性強化水情報通信基盤構築の為に極めて有効である。水資源産業の様に新規な産業であり業界の混雑した現状から個々の積み上げによるシステムの構築には、経済的に多大な困難を伴う。特に金融の投融資の面から、全体像を認識する総合的なシステムの早急な開発が望まれたが、それは極めて困難であった。本システムにより、これらの問題が解決される。機能性強化水情報が、社会の発達した情報基盤に適応した機能性強化水情報通信基盤システム４により発展成長性を持つ様に標準化される。
機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、地球環境に対応する等、急激に発展する経済社会の要求に対応出来る。
図５の実施形態によれば、第１４、第１５、第１６の発明が示され、
第１４の発明は、地図情報システムにより情報表現する等、地図情報処理する地図情報処理手段１７を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第１５の発明は、模型等の等価縮小形体を用いた縮小展開表現による評価モデルと連携する縮小展開表現評価モデル連携手段１８を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
また、第１６の発明は、前記各手段の情報処理が情報画像表現等による仮想表現される仮想表現手段１９を具備する様に構成することを特徴とする請求項１記載の機能性強化水情報通信基盤システム４を用いることにより、クラウドやｉＰｈｏｎｅ、ｉＰａｄ等新規に出現する情報通信手段に容易に対応する事が可能となる。
従来、各手段が個別のシステムの目的に応じて不統一に使われて来たが、本システムは、総合的な上位概念から順次下位概念へと導く、統一した概念に基づいて、情報が収集処理される様に構成されているので、昨今の経済社会が望んでいる経済基盤構築を指向した機能性強化水情報通信基盤構築の為に極めて有効である。水資源産業の様に新規な産業であり業界の混雑した現状から個々の積み上げによるシステムの構築には、経済的に多大な困難を伴う。特に金融の投融資の面から、全体像を認識する総合的なシステムの早急な開発が望まれたが、それは極めて困難であった。本システムにより、これらの問題が解決される。機能性強化水情報が、社会の発達した情報基盤に適応した機能性強化水情報通信基盤システム４により発展成長性を持つ様に標準化される。
機能性強化水産業の発展成長及び情報通信基盤の発展成長に伴い発展する機能性強化水情報通信基盤が自動的に構築され、機能性強化水の価値を高め、機能性強化水関連企業の企業価値を高めるものとなり、機能性強化水の流通を促進し、地球環境に対応する等、急激に発展する経済社会の要求に対応出来る。
【図面の簡単な説明】
【０００９】
【図１】この発明の一実施形態を示すブロック図である。
【図２】この発明の一実施形態を示すブロック図である。
【図３】この発明の一実施形態を示すブロック図である。
【図４】この発明の一実施形態を示すブロック図である。
【図５】この発明の一実施形態を示すブロック図である。
【符号の説明】
【００１０】機能性強化水情報収集処理手段１
機能性強化水基準情報処理手段２
機能性強化水評価情報処理手段３
機能性強化水情報通信基盤システム４
天然物含有生体機能性対応水評価情報処理手段５
評価認証情報処理手段６
金融対応情報処理手段７
社会経済金融対応手段８
環境経済対応手段９
機能性強化水過去状況履歴情報処理手段１０
関連機能性強化水情報処理手段１１
関連機能性強化水評価情報処理手段１２
機能性強化水情報登録認定手段１３
評価手段１４
評価モデル連携手段１５
評価根拠情報提供手段１６
地図情報処理手段１７
縮小展開表現評価モデル連携手段１８
仮想表現手段１９
【図１】
2012073215.tif 000003
【図２】
2012073215.tif 000004
【図３】
2012073215.tif 000005
【図４】
2012073215.tif 000006
【図５】
2012073215.tif 000007